(57)【要約】【課題】  本発明は、制御対象となる有機ＥＬパネルの白色光の色温度の変動（ズレ）を抑えることが可能な有機ＥＬパネル制御装置、光源装置、及び有機ＥＬパネル制御方法の提供を目的とする。【解決手段】  本発明の有機ＥＬパネル制御装置は、輝度制御手段を含み、前記輝度制御手段は、制御対象の有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、前記基準となる有機ＥＬ素子以外の有機ＥＬ素子の輝度を制御することを特徴とする。【選択図】  図１
2020047592.tif 000002
【特許請求の範囲】
【請求項１】
輝度検出手段、および輝度制御手段を含み、
前記輝度検出手段は、有機ＥＬ素子の輝度情報を検出し、
前記輝度制御手段は、前記検出された前記有機ＥＬ素子毎の輝度情報に基づいて、制御対象の有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、予め作成された参照テーブルまたは関数を参照して、前記基準となる有機ＥＬ素子以外の有機ＥＬ素子の輝度を低下させるように制御し、
前記予め作成された参照テーブルまたは関数は、入力輝度の階調毎に、各色の有機ＥＬ素子の出力輝度を割当て、
前記輝度制御手段は、記憶部及び演算部を含み、
前記記憶部は、予め測定した前記有機ＥＬ素子毎の輝度の経時変化情報を記憶し、
前記演算部は、前記経時変化情報に基づいて、前記基準となる有機ＥＬ素子以外の有機ＥＬ素子に対する駆動電流又は駆動電圧を決定する
ことを特徴とする有機ＥＬパネル制御装置。
【請求項２】
輝度検出手段、輝度制御手段、および時間測定手段を含み、
前記輝度検出手段は、有機ＥＬ素子の輝度情報を検出し、
前記輝度制御手段は、前記検出された前記有機ＥＬ素子毎の輝度情報に基づいて、制御対象の有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、予め作成された参照テーブルまたは関数を参照して、前記基準となる有機ＥＬ素子以外の有機ＥＬ素子の輝度を制御し、
前記予め作成された参照テーブルまたは関数は、入力輝度の階調毎に、各色の有機ＥＬ素子の出力輝度を割当て、
前記輝度制御手段は、記憶部及び演算部を含み、
前記記憶部は、予め測定した前記有機ＥＬ素子毎の輝度の経時変化情報を記憶し、
前記演算部は、前記経時変化情報に基づいて、前記基準となる有機ＥＬ素子以外の有機ＥＬ素子に対する駆動電流又は駆動電圧を決定し、
前記時間測定手段は、前記各有機ＥＬ素子の駆動時間を測定し、
前記輝度制御手段の前記演算部は、前記時間測定手段により測定された駆動時間と、前記記憶部により記憶された前記経時変化情報とを関連付けて、前記駆動電流又は駆動電圧を決定する
ことを特徴とする有機ＥＬパネル制御装置。
【請求項３】
輝度検出手段、および輝度制御手段を含み、
前記輝度検出手段は、有機ＥＬ素子の輝度情報を検出し、
前記輝度制御手段は、前記検出された前記有機ＥＬ素子毎の輝度情報に基づいて、制御対象の有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、予め作成された参照テーブルまたは関数を参照して、前記基準となる有機ＥＬ素子以外の有機ＥＬ素子の輝度を制御し、
前記基準となる有機ＥＬ素子が、青色発光有機ＥＬ素子であり、
前記予め作成された参照テーブルまたは関数は、入力輝度の階調毎に、各色の有機ＥＬ素子の出力輝度を割当て、
前記輝度制御手段は、記憶部及び演算部を含み、
前記記憶部は、予め測定した前記有機ＥＬ素子毎の輝度の経時変化情報を記憶し、
前記演算部は、前記経時変化情報に基づいて、前記基準となる有機ＥＬ素子以外の有機ＥＬ素子に対する駆動電流又は駆動電圧を決定する
ことを特徴とする有機ＥＬパネル制御装置。
【請求項４】
有機ＥＬパネルと、有機ＥＬパネル制御装置と、を含み、
前記有機ＥＬパネルは、発光色の異なる複数の有機ＥＬ素子を有し、
前記有機ＥＬパネル制御装置は、輝度検出手段、および輝度制御手段を含み、
前記輝度検出手段は、有機ＥＬ素子の輝度情報を検出し、
前記輝度制御手段は、前記検出された前記有機ＥＬ素子毎の輝度情報に基づいて、制御対象の有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、予め作成された参照テーブルまたは関数を参照して、前記基準となる有機ＥＬ素子以外の有機ＥＬ素子の輝度を制御し、
前記予め作成された参照テーブルまたは関数は、入力輝度の階調毎に、各色の有機ＥＬ素子の出力輝度を割当て、
前記輝度制御手段は、記憶部及び演算部を含み、
前記記憶部は、予め測定した前記有機ＥＬ素子毎の輝度の経時変化情報を記憶し、
前記演算部は、前記経時変化情報に基づいて、前記基準となる有機ＥＬ素子以外の有機ＥＬ素子に対する駆動電流又は駆動電圧を決定し、
前記輝度制御手段は、前記有機ＥＬパネルに、前記基準となる有機ＥＬ素子以外の有機ＥＬ素子の輝度を制御するための輝度制御情報を、電気信号として送信し、
前記有機ＥＬパネルは、さらに電源駆動回路を含み、
前記電源駆動回路は、前記輝度制御手段から受信した前記輝度制御情報に基づいて、前記複数の有機ＥＬ素子を独立して駆動させる
ことを特徴とする光源装置。
【請求項５】
輝度検出工程、および輝度制御工程を含み、
前記輝度検出工程において、有機ＥＬ素子の輝度情報を検出し、
前記輝度制御工程は、前記検出された前記有機ＥＬ素子毎の輝度情報に基づいて、制御対象となる有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、予め作成された参照テーブルまたは関数を参照して、前記基準となる有機ＥＬ素子以外の有機ＥＬ素子の輝度を低下させるように制御し、
前記予め作成された参照テーブルまたは関数は、入力輝度の階調毎に、各色の有機ＥＬ素子の出力輝度を割当て、
前記輝度制御工程は、さらに、記憶工程及び演算工程を含み、
前記記憶工程において、予め測定した前記有機ＥＬ素子毎の輝度の経時変化情報を記憶し、
前記演算工程において、前記経時変化情報に基づいて、前記基準となる有機ＥＬ素子以外の有機ＥＬ素子に対する駆動電流又は駆動電圧を決定する
ことを特徴とする有機ＥＬパネル制御方法。
【請求項６】
輝度検出工程、輝度制御工程、および時間測定工程を含み、
前記輝度検出工程において、有機ＥＬ素子の輝度情報を検出し、
前記輝度制御工程は、前記検出された前記有機ＥＬ素子毎の輝度情報に基づいて、制御対象となる有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、予め作成された参照テーブルまたは関数を参照して、前記基準となる有機ＥＬ素子以外の有機ＥＬ素子の輝度を制御し、
前記予め作成された参照テーブルまたは関数は、入力輝度の階調毎に、各色の有機ＥＬ素子の出力輝度を割当て、
前記輝度制御工程は、さらに、記憶工程及び演算工程を含み、
前記記憶工程において、予め測定した前記有機ＥＬ素子毎の輝度の経時変化情報を記憶し、
前記演算工程において、前記経時変化情報に基づいて、前記基準となる有機ＥＬ素子以外の有機ＥＬ素子に対する駆動電流又は駆動電圧を決定し、
前記時間測定工程において、前記各有機ＥＬ素子の駆動時間を測定し、
前記輝度制御工程の前記演算工程は、前記時間測定工程により測定された駆動時間と、前記記憶工程により記憶された前記経時変化情報とを関連付けて、前記駆動電流又は駆動電圧を決定する
ことを特徴とする有機ＥＬパネル制御方法。
【発明の詳細な説明】
【技術分野】
【０００１】
本発明は、有機ＥＬパネル制御装置、光源装置、及び有機ＥＬパネル制御方法に関する。
【背景技術】
【０００２】
有機ＥＬパネルには、例えば、赤、緑、青（ＲＧＢ）の発光材料を用いて、各発光材料からの発光を加法混色することにより白色光を形成する有機ＥＬ（Ｅｌｅｃｔｒｏ  Ｌｕｍｉｎｅｓｃｅｎｃｅ）素子（白色有機ＥＬ素子）が用いられている。例えば、特許文献１には、基板上にＲＧＢの各単色発光層を並列に形成した構成例が示されている。
【先行技術文献】
【特許文献】
【０００３】
【特許文献１】特表２００６−５０４２３１号公報
【発明の概要】
【発明が解決しようとする課題】
【０００４】
有機ＥＬ照明装置等の光源装置を連続点灯若しくは経時的に使用した場合、前記白色光を形成する各色の輝度強度比が変動する。これにより、前記有機ＥＬ照明装置の白色光の色温度は、例えば、初期仕様値から変動してしまい、前記有機ＥＬ照明装置の初期性能が損なわれるという問題がある。
【０００５】
そこで、本発明は、有機ＥＬパネルの白色光の色温度の変動（ズレ）を抑えることが可能な有機ＥＬパネル制御装置、光源装置、有機ＥＬパネル制御方法、プログラム、及び記録媒体の提供を目的とする。
【課題を解決するための手段】
【０００６】
前記目的を達成するために、本発明の有機ＥＬパネル制御装置は、輝度制御手段を含み、前記輝度制御手段は、制御対象の有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、前記基準となる有機ＥＬ素子以外の有機ＥＬ素子の輝度を制御することを特徴とする。
【０００７】
本発明の有機ＥＬパネル制御方法は、輝度制御工程を含み、前記輝度制御工程は、制御対象となる有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、前記基準となる有機ＥＬ素子以外の有機ＥＬ素子の輝度を制御することを特徴とする。
【発明の効果】
【０００８】
本発明によれば、制御対象となる有機ＥＬパネルの白色光の色温度の変動（ズレ）を抑えることが可能である。また、本発明によれば、例えば、有機ＥＬパネルを長寿命化させることが可能である。
【図面の簡単な説明】
【０００９】
【図１】図１は、実施形態１の有機ＥＬ照明装置の一例の構成を示すブロック図である。
【図２】図２は、実施形態１の有機ＥＬパネル１０の構造例を示す断面図である。
【図３】図３は、実施形態１の有機ＥＬパネルの別の一例の構成を示す模式図である。
【図４】図４（Ａ）及び（Ｂ）は、実施形態１の輝度検出手段３０の構成の一例を示す回路図である。
【図５】図５は、実施形態１の有機ＥＬ素子の輝度寿命曲線の一例を示すグラフである。
【図６】図６は、実施形態１の制御方法の一例を示すフローチャートである。
【図７】図７は、実施形態１の制御方法の別の一例を示すフローチャートである。
【図８】図８は、実施形態２の有機ＥＬ照明装置の一例の構成を示すブロック図である。
【図９】図９は、実施形態２の制御方法の一例を示すフローチャートである。
【発明を実施するための形態】
【００１０】
以下、本発明について図面を参照して詳細に説明する。ただし、本発明は、以下の実施形態に限定されない。なお、以下の図１から図９において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１１】
［実施形態１］
本実施形態では、前記光源装置として有機ＥＬ照明装置を例に挙げて、本発明の光源装置及び有機ＥＬパネル制御装置について説明する。
【００１２】
（有機ＥＬ照明装置）
図１は、本実施形態の有機ＥＬ照明装置１の構成を示すブロック図である。同図に示すように、本実施形態の有機ＥＬ照明装置１は、有機ＥＬパネル１０、制御装置２０、及び電源駆動回路５０を構成要素として含む。有機ＥＬパネル１０は、後述の通り、発光色の異なる複数の有機ＥＬ素子を含む。制御装置２０は、輝度検出手段３０及び制御手段４０を構成要素として含む。また、同図に示すように制御装置２０は、制御手段４０を介して、電源駆動回路５０に電気信号を送信可能であり、輝度検出手段３０及び制御手段４０は、互いに電気信号を交信可能である。
【００１３】
次に、本実施形態の有機ＥＬ照明装置１の動作方法の一例について説明する。電源駆動回路５０は、有機ＥＬパネル１０の前記複数の各有機ＥＬ素子を独立して駆動させる。これにより、有機ＥＬパネル１０は、前記複数の有機ＥＬ素子の発光により白色発光を形成する。次に、制御装置２０は、輝度検出手段３０により有機ＥＬパネル１０の前記有機ＥＬ素子の輝度情報を検出する。次に、輝度検出手段３０は、例えば、前記検出した輝度情報を電気信号として制御手段４０に送信する。次に、制御手段４０は、例えば、前記輝度情報に基づいて前記各有機ＥＬ素子の輝度を制御する。制御手段４０による具体的な制御方法については、後述する。そして、制御手段４０は、電源駆動回路５０に輝度制御情報を電気信号として送信する。次に、電源駆動回路５０は、前記輝度制御情報に基づいて、前記複数の有機ＥＬ素子を独立して駆動させる。
【００１４】
以下、本実施形態の有機ＥＬ照明装置１の前記各構成要素（有機ＥＬパネル、制御装置、及び電源駆動回路）についてさらに詳しく説明する。
【００１５】
（有機ＥＬパネル）
図２は、本実施形態の制御対象の有機ＥＬパネル１０の一例を示す断面図である。同図に示す有機ＥＬパネル１０は、赤、緑、及び青の単色発光層１５ｒ、ｇ、ｂをそれぞれ備えた構成をとる。前記構成により、同図の有機ＥＬパネル１０は、前記複数色の発光色の加法混色により白色光を形成する。
【００１６】
同図の有機ＥＬパネル１０は、透明基板（ガラス基板）１１の一方の面上に各発光層（赤色発光層１５ｒ、緑色発光層１５ｇ、青色発光層１５ｂ）に対応した陽極１２ｒ、ｇ、ｂが並列して配置されており、ガラス基板１１の他方の面には、光拡散板１９が配置されている。そして、陽極１２を取り囲むようにして正孔注入層１３が形成されており、さらに、正孔輸送層１４、各発光層１５、電子輸送層１６及び電子注入層１７が前記順序で積層されている。そして、電子注入層１７の上方に、陰極１８ｒ、ｇ、ｂが、各単色発光層１５ｒ、ｇ、ｂに対応して並列に配置されている。このようにして、赤色発光有機ＥＬ素子、緑色発光有機ＥＬ素子、及び青色発光有機ＥＬ素子が構成される。同図では、有機ＥＬパネル１０が、各単色（赤、緑、青）発光有機ＥＬ素子を一つずつ備えた構成を示しているが、これは、前記各単色発光有機ＥＬ素子が、繰り返し配列された構成を便宜上簡略化したものである。
【００１７】
尚、同図の有機ＥＬパネル１０の透明基板１１は、ガラス基板としているが、本実施形態において、透明基板１１としては、ガラス基板等のようなリジッドな材料を用いてもよいし、高分子フィルム等のようなフレキシブルな材料を用いても良い。
【００１８】
同図に示す有機ＥＬパネル１０は、前述の通り、光拡散板１９を構成要素として備える。これにより、ガラス基板１１と外部の空気層との屈折率の差による出射光の全反射を防ぐことができ、光の取り出し効率が向上する。但し、本実施形態における有機ＥＬパネルにおいて、前記光拡散板は、任意の構成要素である。
【００１９】
各色発光層１５ｒ、ｇ、ｂは、それぞれに、陽極及び陰極を有しているため、前記有機ＥＬ素子毎に、電流を印加することが可能である。このため、前記有機ＥＬ素子毎の輝度を個別に調整可能である。
【００２０】
有機ＥＬパネル１０における、前記各構成要素の形成材料及び形成方法は、特に制限されず、それぞれ周知の材料及び周知の方法を用いて形成すればよい。
【００２１】
本実施形態の制御対象の有機ＥＬパネルは、同図の有機ＥＬパネル１０に限定されない。例えば、各単色発光層１５を、黄色の単色発光層及び青色の単色発光層で構成する等、デバイス構成を変更しても良い。また、各単色発光層の面積を適宜増減させる等、デバイス面積を変更しても良い。また、各単色発光層を、昼光色等の高色温度の白色発光層及び電球色等の低色温度の白色発光層とし、白色の中で色温度を変化させる構成としても良い。また、前記複数の単色発光層を含む有機ＥＬパネルを透明となる構成（所謂両面から光を取出す両面発光）としても良い。
【００２２】
また、本実施形態の制御対象の有機ＥＬパネルは、同図に示す、前記各単色発光層を並列して配置する構成に限定されない。具体的には、例えば、前記各有機ＥＬ素子を、図３に示す有機ＥＬパネル１００の模式図のような構成としても良い。すなわち、図３に示すように、各有機ＥＬ素子１１５ｂ、１１５ｇ、１１５ｒが、例えば、光透過性を有しており、かつ前記順序で発光軸方向Ｌに積層されている構成としても良い。また、同図の有機ＥＬパネル１００において、電源駆動回路５０が、個々の有機ＥＬ素子毎を独立して駆動させるような構成をとる。前記構成をとることにより、図１に示す有機ＥＬパネル１０と比較して発光面積が３倍以上となる。これにより、単位面積当たりの輝度・光束をより大きくすることができるため好ましい。
【００２３】
（制御装置）
本実施形態の制御装置２０は、輝度検出手段３０及び制御手段４０を構成要素として含む。但し、本実施形態において、輝度検出手段３０は、任意の構成要素である。
【００２４】
＜輝度検出手段＞
輝度検出手段３０は、前記有機ＥＬ素子毎の輝度を検出する。すなわち、制御対象の有機ＥＬパネルが、図１の有機ＥＬパネル１０である場合、赤色発光有機ＥＬ素子、緑色発光有機ＥＬ素子、及び青色発光有機ＥＬ素子のそれぞれに対応した輝度検出手段３０が、それぞれの有機ＥＬ素子毎の輝度を検出する。
【００２５】
輝度検出手段３０としては、特に制限されず、例えば、公知の光センサが挙げられる。前記光センサとしては、特に制限されず、例えば、フォトダイオード、フォトトランジスタ、フォトＩＣ（集積回路）、フォトレジスタ等の小型センサ素子を含んでも良い。
【００２６】
図４（Ａ）は、輝度検出手段３０の回路として、デジタルカラーセンサーの一例を示す。同図（Ａ）に示すように、まず各色（赤色、緑色、青色）の有機ＥＬ素子に対応したフォトダイオード３１ｒ、ｇ、ｂが、各色の光を検出する。前記検出された各色の光は、それぞれ、周波数変換器（Ｌ／Ｆ）３２により、所定の周波数に変換して出力される。次に、前記各周波数の出力値は、タイミングコントローラ３３により、タイミングをとったうえ、ゲート端子がＨｉｇｈの期間に、カウンタがカウントされ、有機ＥＬ素子毎に対応したレジスタ３４に、カウント値が保持される。次に、ＣＬＫ（クロック）端子３５に前記カウント値を読み出すためのパルスを入力する。これにより、前記有機ＥＬ素子毎の前記カウント値が、前記パルスに同期して変換器３６によりシリアル変換され、Ｄａｔａ  ｏｕｔ端子３７に電気信号としてシリアル出力される。前記電気信号は、例えば１０ビット、１２ビット等で処理されており、３色順番に読み出される。このようにして、輝度検出手段３０の検出した各色有機ＥＬ素子の輝度を、制御手段４０に出力する。但し、本例は、輝度検出手段の一例であり、輝度検出手段３０は、有機ＥＬ素子毎の輝度を検出し、検出した輝度の値を制御手段４０に出力できればこれに限定されない。
【００２７】
図４（Ｂ）は、輝度検出手段３０の回路の別の一例としてアナログカラーセンサーの一例を示す。同図（Ｂ）に示す回路は、差分増幅回路（ＯＰアンプ）４２ｒ、ｇ、ｂを含む。差分増幅回路（ＯＰアンプ）４２ｒ、ｇ、ｂの非反転入力端子（＋）は、それぞれ、フォトダイオード４１ｒ、ｇ、ｂのカソード端子に接続されている。差分増幅回路（ＯＰアンプ）４２ｒ、ｇ、ｂの反転入力端子（−）は、それぞれ、フォトダイオード４１ｒ、ｇ、ｂのアノード端子に接続されている。また、各ＯＰアンプ４１ｒ、ｇ、ｂの出力端子と前記反転入力端子（−）との間には、帰還抵抗Ｒｆｒ、Ｒｆｇ、Ｒｆｂが設けられている。受光によるフォトダイオード４１ｒ、ｇ、ｂからの電流ＩＲ、ＩＧ、ＩＢは、それぞれ、ＯＰアンプ４２ｒ、ｇ、ｂにより、Ｉ−Ｖ（電流−電圧）変換されるとともに、帰還抵抗Ｒｆｒ、Ｒｆｇ、Ｒｆｂの大きさ分増幅され、反転した出力電圧（−ＩＲ×Ｒｆｒ、−ＩＧ×Ｒｆｇ、−ＩＢ×Ｒｆｂ）となる。前記出力電圧は、前記各フォトダイオード４１ｒ、ｇ、ｂの受光量が増えると負側に振れる。このため、単電源のＯＰアンプを使用した場合は、非反転入力端子（＋）にオフセット電圧を加えて、前記オフセット電圧を基準電位として負側へ出力を振る。前記各色の出力電圧（ＶＲｏｕｔ、ＶＧｏｕｔ、ＶＢｏｕｔ）は、それぞれ、オフセット電圧Ｖｏｆｓと、受光による起電流と帰還抵抗分との積（ＩＲ×Ｒｆｒ、ＩＧ×Ｒｆｇ、ＩＢ×Ｒｆｂ）の差分として得られる。
【００２８】
輝度検出手段３０の配置する位置は、特に制限されず、例えば、有機ＥＬパネル１０内に配置しても良い。具体的には、例えば、有機ＥＬパネル１０内のガラス基板上に配置しても良い。
【００２９】
＜制御手段＞
制御手段４０は、前記検出された前記有機ＥＬ素子毎の輝度情報に基づいて、制御対象の有機ＥＬパネルにおける発光色の異なる複数の有機ＥＬ素子の発光色の加法混色により形成される白色光の色温度が、予め設定された前記色温度と同一となるように制御する。すなわち、制御手段４０は、最も輝度寿命の短い有機ＥＬ素子の輝度を基準として、前記基準となる有機ＥＬ素子以外の有機ＥＬ素子の輝度を制御する。
【００３０】
本実施形態において、「前記予め設定された」色温度とは、特に制限されず、例えば、製造時において、初期設定された色温度であってもよく、製造後にユーザにおいて設定された色温度であっても良く、また、例えば、生活環境に対応した照明器具で、朝に昼光色、昼に昼白色、夜に電球色と調色できるものがある。より具体的には、前記照明器具としては、例えば、朝の起床時においては、目覚めのよい昼光色であり、昼には、活動的な昼白色、夜はリラックスできる電球色に変化するものがある。このような場合、生活環境に対応するように、時刻に合わせて色温度を設定しても良い。
【００３１】
本実施形態において、前記「最も輝度寿命の短い有機ＥＬ素子」とは、特に制限されないが、例えば、青色発光有機ＥＬ素子であっても良く、他の色を発光する有機ＥＬ素子であっても良い。前記青色発光有機ＥＬ素子は、原理的には、白色発光有機ＥＬ素子を構成する前記各色発光有機ＥＬ素子の中で最も短寿命になる。しかしながら、前記他の色を発光する有機ＥＬ素子であっても、多層膜中の発光材料及び周辺材料、素子・デバイス構成、採用するプロセス等により、前記各有機ＥＬ素子の輝度寿命は、全く異なった振る舞い又は特性を示す場合がある。また、前記材料等のロットバラツキ、工程の揺らぎ等においても前記輝度寿命が影響する場合がある。このため、本実施形態において、輝度検出手段３０により、前記各有機ＥＬ素子の輝度の経時変化を随時測定し、前記最も輝度寿命の短い有機ＥＬ素子を随時決定する事が好ましい。これにより、例えば、前記最短寿命素子の駆動電流値を上げることを防止でき、前記最短寿命素子の駆動条件・負荷が増大することによる寿命低下を抑制できる。
【００３２】
本実施形態において、前記「前記基準となる有機ＥＬ素子以外の有機ＥＬ素子の輝度を制御する」とは、特に制限されず、例えば、前記有機ＥＬ素子の輝度を低下させることをいう。但し、前述のように、予め設定された前記色温度と同一となるように制御すればよく、例えば、前記輝度を低下させなくても、前記色温度と同一となる場合は、低下させなくても良い。
【００３３】
制御手段４０の具体的な構成の一例としては、例えば、記憶部及び演算部を構成要素とする。
【００３４】
＜記憶部＞
前記記憶部は、予め測定した有機ＥＬ素子毎の輝度の経時変化情報を記憶する。前記記憶部としては、特に制限されないが、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等が挙げられる。
【００３５】
前記「経時変化情報」とは、特に制限されず、例えば、図５に示す各有機ＥＬ素子（青色（Ｂ）、緑色（Ｇ）、赤色（Ｒ））の輝度寿命曲線により得られる輝度若しくは光束の経時的な低下情報、駆動に伴う各単色発光層の色度の経時的な変化情報等が挙げられる。尚、図５は、一般的な前記各有機ＥＬ素子の輝度寿命曲線の一例である。
【００３６】
＜演算部＞
前記演算部は、前記経時変化情報に基づいて、前記基準となる有機ＥＬ素子以外の有機ＥＬ素子に対する駆動電流又は駆動電圧を決定する。具体例として、例えば、前記経時変化情報が、前記輝度寿命曲線により得られる輝度の経時的な低下情報である場合について説明する。すなわち、前記演算部は、前記低下情報に基づいて、最も輝度低下の大きい有機ＥＬ素子の輝度を固定し、加法混色して予め設定した白色色温度と同一になるように、他の色の有機ＥＬ素子を駆動させる駆動電流値若しくは駆動電圧値を算出する。前記演算部は、前述の通り、駆動電流及び駆動電圧のいずれか一方を決定すればよいが、駆動電流を決定する事が好ましい。これにより、前記温度などの環境変動にも対応しやすく、より長寿命な有機ＥＬパネルの実現が可能となる。
【００３７】
本実施形態において、さらに、実デバイスに使用する各色発光材料の輝度（光束）の経時変化を測定又は検証したデータに基づいて得られた前記経時変化情報から、最も寿命の短い色の輝度（光束）を基準として、黒体軌跡上の色度座標へ合わせるように各色の階調値を設定しても良い。有機ＥＬパネルの前記各色発光有機ＥＬ素子の輝度（光束）寿命は、それぞれ使用する材料とデバイス構成、及び発光面積により一意的に決定される。そして、各色個別に使用材料とデバイス構成、デバイス面積が決定した場合の輝度（光束）の経時変化情報を輝度寿命の指標とする。そして、制御手段４０は、前記最も寿命の短い色の輝度（光束）を基準として、他の色の輝度（光束）を制御し、黒体軌跡上の色度座標へ合わせるように制御する。この場合、例えば、各色の発光有機ＥＬ素子の経時変化情報から補正する出力階調値への変換処理を、参照テーブルを参照して行っても良い。
【００３８】
表１に、前記参照テーブルの一例を示す。表１は、前記発光色の構成を赤、緑、青の３色とし、青色発光有機ＥＬ素子が、最短寿命素子で基準階調とし、各色を８ビットで制御した時の参照テーブルの一例である。
【００３９】
【表１】
2020047592.tif 000003
【００４０】
前記記憶部は、例えば、前記経時変化情報と、前記参照テーブルとを記憶しても良い。そして、前記記憶部は、前記階調値又は経時変化情報（例えば、輝度（光束）変化率）のいずれかの入力値に対して、前記参照テーブルにより、対応する値を読み出しても良い。具体的には、例えば、前記記憶部は、入力階調値が、１２７である場合、赤色発光有機ＥＬ素子の補正階調値１１９及び緑色発光有機ＥＬ素子の補正階調値１１０を読み出す。そして、前記記憶部は、前記階調値データを前記演算部に送信する。但し、本実施形態における、前記参照テーブルは、これに限定されない。例えば、表１の前記参照テーブルでは、前記各色を８ビットで制御しているが、より滑らかな変換をするために、１０ビット、１２ビットと階調数を大きくしても良い。
【００４１】
本実施形態において、前記参照テーブルを適用する場合、制御手段４０は、例えば、入力輝度に対する出力輝度の割当変換テーブルをそれぞれ階調分準備して、入力輝度に対する出力輝度を予め作成する作成手段を有しても良い。これらの構成は、例えば、ＦＰＧＡ（Ｆｉｅｌｄ−ｐｒｏｇｒａｍｍａｂｌｅ  ｇａｔｅ  ａｒｒａｙ）により簡易に作成する事が出来る。なお、本実施形態では、参照テーブルの値を離散（量子化、デジタル）した値として説明したが、連続的な値であってもよい。さらに、本実施形態では、参照テーブルを用いて説明したが、これらは関数であってもよい。
【００４２】
（電源駆動回路）
電源駆動回路５０は、制御装置４０による輝度制御情報に基づいて、制御対象となる前記有機ＥＬパネルの複数の有機ＥＬ素子を、独立して駆動させる。尚、本実施形態において、電源駆動回路５０は、任意の構成要素であり、なくても良い。
【００４３】
電源駆動回路５０としては、特に制限されず、例えば、各有機ＥＬ素子に駆動電流を供給する手段等が挙げられる。
【００４４】
本実施形態において、電源駆動回路５０は、例えば、前記輝度制御情報の電気信号に応じて、前記供給する駆動電流をＰＷＭ（Ｐｕｌｓｅ  Ｗｉｄｔｈ  Ｍｏｄｕｌａｔｉｏｎ）制御若しくはＰＡＭ（Ｐｕｌｓｅ  Ａｍｐｌｉｔｕｄｅ  Ｍｏｄｕｌａｔｉｏｎ）制御により行っても良いが、前記ＰＷＭ制御により行う方が、より容易に制御可能であるため好ましい。また、駆動電流及び電圧について、前記ＰＷＭ及びＰＡＭ制御を同時に行っても良い。
【００４５】
（制御方法）
次に、本実施形態において、制御装置２０を用いた場合の有機ＥＬパネルの制御方法について図６のフローチャートを用いて説明する。但し、本発明の制御方法は、制御装置２０を用いることに限定されない。
【００４６】
＜輝度検出工程（Ｓ１１）＞
まず、輝度検出手段３０により、前記有機ＥＬ素子毎の輝度情報を個別に検出する。前記検出された輝度情報は、例えば、電気信号に変えて制御手段４０に送信される。
【００４７】
＜輝度制御工程（Ｓ１２）＞
次に、制御手段４０が、前記検出された前記有機ＥＬ素子毎の輝度情報に基づいて、制御対象となる有機ＥＬパネルにおける発光色の異なる複数の有機ＥＬ素子の発光色の加法混色により形成される白色光の色温度が、予め設定された前記色温度と同一となるように制御する。すなわち、最も輝度寿命の短い有機ＥＬ素子の輝度を基準として、前記基準となる有機ＥＬ素子以外の有機ＥＬ素子の輝度を制御する。具体的には、制御手段４０は、例えば、前記検出された前記各色の発光有機ＥＬ素子の輝度から最も輝度低下の大きい色の発光有機ＥＬ素子を決定する。そして、制御手段４０は、例えば、前記最も輝度低下の大きい色の発光有機ＥＬ素子に供給する駆動電流値を固定し、その他の色の発光有機ＥＬ素子に供給する駆動電流値を低下させる。前記最も輝度低下の大きい色の発光有機ＥＬ素子として、青色発光有機ＥＬ素子を固定する場合は、予め設定された前記色温度と同一となるように、その他の色である赤色及び緑色の発光有機ＥＬ素子に供給する駆動電流値を低下させる。
【００４８】
前記輝度制御工程において、例えば、図７のフローチャートに示すように、記憶工程（Ｓ１２−１）及び演算工程（Ｓ１２−２）を含んでも良い。前記記憶工程は、例えば、前記記憶部により予め測定した前記有機ＥＬ素子毎の輝度の経時変化情報を記憶する（記憶工程、Ｓ１２−１）。前記演算工程は、例えば、前記演算部により、前記経時変化情報に基づいて、前記基準となる有機ＥＬ素子以外の有機ＥＬ素子に対する駆動電流値又は駆動電圧値を決定する（演算工程、Ｓ１２−２）。
【００４９】
＜駆動工程（Ｓ１３）＞
次に、電源駆動回路５０は、制御手段４０による前記輝度制御情報に基づいて、前記複数の有機ＥＬ素子を独立して駆動させる。尚、本工程（Ｓ１３）は、本発明の制御方法において、任意の工程である。
【００５０】
本実施形態では、前述の通り、制御装置２０が、最も輝度寿命の短い有機ＥＬ素子の輝度を基準として、その他の有機ＥＬ素子の輝度を、初期設定時の前記色温度と同一の値となるように制御する。これにより、一般的な白色有機ＥＬ素子では困難であった連続点灯若しくは連続使用による経時的な色温度又は色ズレの補正が可能となる。これにより、制御対象の有機ＥＬパネルにおいて、色温度の変動が抑えられる。これにより、制御装置２０は、例えば、制御対象の前記有機ＥＬパネルの各色の有機ＥＬ素子の輝度（光束）寿命の低下を効率良く抑えることができ、前記有機ＥＬパネルを長寿命化できる。
【００５１】
［実施形態２］
図８は、本実施形態の有機ＥＬ照明装置２００の構成を示すブロック図である。本実施形態の制御装置７０は、時間測定手段６０を含む。時間測定手段６０は、前記有機ＥＬ素子の駆動時間を測定する。制御手段４０の演算部は、時間測定手段６０により測定された駆動時間と、記憶部により記憶された経時変化情報とを関連付けて、前記駆動電流又は駆動電圧を決定する。時間測定手段６０は、制御手段４０及び電源駆動回路５０と、それぞれ電気信号を送受信可能である。本実施形態の制御装置７０は、これらの構成以外については、実施形態１の制御装置２０と同一の構成をとる。尚、本実施形態において、前記輝度検出手段は、任意の構成要素であり、あっても良いし、なくても良い。
【００５２】
（時間測定手段）
時間測定手段６０は、前述の通り、前記有機ＥＬ素子の駆動時間を測定する。本実施形態において、前記「駆動時間」とは、特に制限されないが、例えば、電源駆動回路５０からリセット信号を受信した時から測定時までの前記有機ＥＬ素子の駆動時間の積算値であっても良い。
【００５３】
時間測定手段６０としては、特に制限されず、例えば、公知のものを使用でき、タイマー等が挙げられる。前記タイマーとしては、例えば、クロックを与えて、レジスタを操作することにより、リセット若しくはカウントを開始し、前記カウント値を読み出すレジスタによりその値を積算して計測するようなマイコン／ＩＣのタイマー等が挙げられる。
【００５４】
（制御方法）
次に、本実施形態において、制御装置７０を用いた場合の有機ＥＬパネルの制御方法について図９のフローチャートを用いて説明する。但し、本発明の制御方法は、制御装置７０を用いることに限定されない。
【００５５】
＜時間計測工程（Ｓ２１）＞
まず、時間計測工程において、時間測定手段６０により、リセット信号から駆動時間を積算する。
【００５６】
＜制御工程（Ｓ２２）＞
制御工程において、まず、実施形態１のＳ１２−１を行った後、制御手段４０の前記演算部により、時間測定手段６０により測定された駆動時間と、前記記憶部により記憶された前記経時変化情報とを関連付けて、前記駆動電流又は駆動電圧を決定する（Ｓ１２−２´）。この場合、実施形態１で説明したように、経時変化情報から各色の補正階調値へ変換処理を行っても良い。
【００５７】
＜駆動工程（Ｓ２３）＞
駆動工程は、実施形態１のＳ１３と同様にして行う。
【００５８】
本実施形態においても、前述の通り、制御装置７０が、最も輝度寿命の短い有機ＥＬ素子の輝度を基準として、その他の有機ＥＬ素子の輝度を、初期設定時の前記色温度と同一の値となるように制御する。これにより、一般的な白色有機ＥＬ素子では困難であった連続点灯若しくは連続使用による経時的な色温度又は色ズレの補正が可能となる。これにより、制御対象の有機ＥＬパネルにおいて、色温度の変動が抑えられる。これにより、制御装置７０は、例えば、制御対象の前記有機ＥＬパネルの各色の有機ＥＬ素子の輝度（光束）寿命の低下を効率良く抑えることができ、前記有機ＥＬパネルを長寿命化できる。
【００５９】
さらに、本実施形態において、例えば、前記制御方法をプログラムとして前記電源駆動回路のＣＰＵ（中央処理装置）に実行させれば、前記ＣＰＵから各色の駆動電流の信号を出力し、前記信号に従って電源回路から各色の有機ＥＬ素子に最適な駆動電流を各色有機ＥＬ素子に入力することができる。これにより、連続点灯、仕様による経時的な色温度、色ずれの補正が可能となる。
【００６０】
［実施形態３］
本実施形態のプログラムは、実施形態１〜２の制御方法を、コンピュータ上で実行可能なプログラムである。または、本実施形態のプログラムは、例えば、コンピュータ読み取り可能な記録媒体に記録されても良い。前記記録媒体としては、特に制限されず、例えば、読み出し専用メモリ（ＲＯＭ）、ハードディスク（ＨＤ）、光ディスク等が挙げられる。
【００６１】
本実施形態において、前記電源駆動回路のＣＰＵにより前記プログラムを実行させることが好ましい。そして、前記プログラムを用いて前記ＣＰＵから各色の駆動電流の信号を出力し、前記信号に従って、前記電源駆動回路から各色有機ＥＬ素子に最適な駆動電流を各色有機ＥＬ素子に入力することが好ましい。これにより、連続点灯、使用による経時的な色温度、色ズレの補正が可能となり、しかも光源装置の構成として簡便な構成をとる事ができる。
【００６２】
以上、実施形態１及び２において、本発明の光源装置を、有機ＥＬ照明装置を例としたが、本発明の光源装置は、これに限定されない。例えば、本発明の制御装置は、液晶表示装置のバックライト等にも適用でき、本発明の光源装置を、液晶表示装置としても良い。
【００６３】
以上、実施形態を参照して本願発明を説明したが、本願発明は、上記実施形態に限定されるものではない。本願発明の構成や詳細には、本願発明のスコープ内で当業者が理解し得る様々な変更をすることが出来る。
【００６４】
上記の実施形態の一部または全部は、以下の付記のようにも記載し得るが、以下には限定されない。
【００６５】
（付記１）
輝度制御手段を含み、
前記輝度制御手段は、制御対象の有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、前記基準となる有機ＥＬ素子以外の有機ＥＬ素子の輝度を制御することを特徴とする有機ＥＬパネル制御装置。
【００６６】
（付記２）
前記輝度制御手段は、前記基準となる有機ＥＬ素子以外の有機ＥＬ素子の輝度を低下させる付記１記載の有機ＥＬパネル制御装置。
【００６７】
（付記３）
さらに、前記有機ＥＬ素子毎に対応する輝度検出手段を含み、
前記輝度検出手段は、前記有機ＥＬ素子の輝度情報を検出し、
前記輝度制御手段は、前記検出された前記有機ＥＬ素子毎の輝度情報に基づいて、前記基準となる有機ＥＬ素子以外の有機ＥＬ素子の輝度を制御する付記１又は２記載の有機ＥＬパネル制御装置。
【００６８】
（付記４）
前記輝度制御手段は、記憶部及び演算部を含み、
前記記憶部は、予め測定した前記有機ＥＬ素子毎の輝度の経時変化情報を記憶し、
前記演算部は、前記経時変化情報に基づいて、前記基準となる有機ＥＬ素子以外の有機ＥＬ素子に対する駆動電流又は駆動電圧を決定する付記１から３のいずれかに記載の有機ＥＬパネル制御装置。
【００６９】
（付記５）
さらに、時間測定手段を含み、
前記時間測定手段は、前記各有機ＥＬ素子の駆動時間を測定し、
前記輝度制御手段の前記演算部は、前記時間測定手段により測定された駆動時間と、前記記憶部により記憶された前記経時変化情報とを関連付けて、前記駆動電流又は駆動電圧を決定する付記４記載の有機ＥＬパネル制御装置。
【００７０】
（付記６）
有機ＥＬパネルと、付記１〜５のいずれかに記載の有機ＥＬパネル制御装置と、を含み、
前記有機ＥＬパネルは、発光色の異なる複数の有機ＥＬ素子を有することを特徴とする光源装置。
【００７１】
（付記７）
前記有機ＥＬパネルは、さらに電源駆動回路を含み、
前記電源駆動回路は、前記制御装置による前記輝度制御情報に基づいて、前記複数の有機ＥＬ素子を独立して駆動させる付記６記載の光源装置。
【００７２】
（付記８）
前記各有機ＥＬ素子は、光透過性を有しており、かつ発光軸方向に積層されている付記６又は７記載の光源装置。
【００７３】
（付記９）
前記基準となる有機ＥＬ素子が、青色発光有機ＥＬ素子である付記６から８のいずれかに記載の光源装置。
【００７４】
（付記１０）
輝度制御工程を含み、
前記輝度制御工程は、制御対象となる有機ＥＬパネルにおける発光色の異なる複数の有機ＥＬ素子の発光色の加法混色により形成される白色光の色温度が、予め設定された前記色温度と同一となるように、最も輝度寿命の短い有機ＥＬ素子の輝度を基準として、前記基準となる有機ＥＬ素子以外の有機ＥＬ素子の輝度を制御することを特徴とする有機ＥＬパネル制御方法。
【００７５】
（付記１１）
前記輝度制御工程において、前記基準となる有機ＥＬ素子以外の有機ＥＬ素子の輝度を低下させる付記１０記載の有機ＥＬパネル制御方法。
【００７６】
（付記１２）
さらに、輝度検出工程を含み、
輝度検出工程において、前記有機ＥＬ素子の輝度情報を検出し、
前記輝度制御工程において、前記検出された前記有機ＥＬ素子毎の輝度情報に基づいて、前記基準となる有機ＥＬ素子以外の有機ＥＬ素子の輝度を制御する付記１０又は１１記載の有機ＥＬパネル制御方法。
【００７７】
（付記１３）
前記輝度制御工程は、さらに、記憶工程及び演算工程を含み、
前記記憶工程において、予め測定した前記有機ＥＬ素子毎の輝度の経時変化情報を記憶し、
前記演算工程において、前記経時変化情報に基づいて、前記基準となる有機ＥＬ素子以外の有機ＥＬ素子に対する駆動電流又は駆動電圧を決定する付記１０から１２のいずれかに記載の有機ＥＬパネル制御方法。
【００７８】
（付記１４）
さらに、時間測定工程を含み、
前記時間測定工程において、前記各有機ＥＬ素子の駆動時間を測定し、
前記輝度制御工程の前記演算工程は、前記時間測定工程により測定された駆動時間と、
前記記憶工程により記憶された前記経時変化情報とを関連付けて、前記駆動電流又は駆動電圧を決定する付記１３記載の有機ＥＬパネル制御方法。
【００７９】
（付記１５）
付記１０から１４のいずれかに記載の制御方法をコンピュータに実行させることを特徴とするプログラム。
【００８０】
（付記１６）
付記１５記載のプログラムを記録したコンピュータ読み取り可能な記録媒体。
【００８１】
この出願は、２０１４年６月２６日に出願された日本出願特願２０１４−１３１８４７を基礎とする優先権を主張し、その開示の全てをここに取り込む。
【符号の説明】
【００８２】
１              有機ＥＬ照明装置
１０、１００    有機ＥＬパネル
１１            ガラス基板
１２ｒ、ｂ、ｇ  陽極
１３            正孔注入層
１４            正孔輸送層
１５ｒ、ｇ、ｂ、１１５ｒ、ｂ、ｇ  単色発光層
１６            電子輸送層
１７            電子注入層
１８ｒ、ｇ、ｂ  陰極
１９            光拡散版
２０、７０      制御装置
３０            輝度検出手段
３１ｒ、ｇ、ｂ  フォトダイオード
３２            周波数変換器
３３            タイミングコントローラ
３４            レジスタ
３５            ＣＬＫ（クロック）端子
３６            変換器
３７            Ｄａｔａ  ｏｕｔ端子
４０            制御手段
５０            電源駆動回路
６０            時間測定手段
【図１】
2020047592.tif 000004
【図２】
2020047592.tif 000005
【図３】
2020047592.tif 000006
【図４】
2020047592.tif 000007
【図５】
2020047592.tif 000008
【図６】
2020047592.tif 000009
【図７】
2020047592.tif 000010
【図８】
2020047592.tif 000011
【図９】
2020047592.tif 000012